(57)【要約】      （修正有）【課題】対向する一対の狭持片により商品を差込みおよび取外し可能に狭持する狭持部を形成し、該狭持部を一組設けると共に、一組の狭持部を連設部で互に連結することにより、商品に穴をあけることなく、一組の商品を片方ずつ別々に狭持し、かつ一組にセット化することができる結束具の提供する。【解決手段】一組の商品を結束する結束具１０であって、対向する一対の狭持片２０，２０により商品を差込みおよび取外し可能に狭持する狭持部１１が形成され、上記狭持部１１を一組設けると共に、一組の狭持部１１，１１を連設部１２で互に連結した。【選択図】図１
0003113673.tif 000002
【実用新案登録請求の範囲】
【請求項１】
一組の商品を結束する結束具であって、
対向する一対の狭持片により商品を差込みおよび取外し可能に狭持する狭持部が形成され、
上記狭持部を一組設けると共に、一組の狭持部を連設部で互に連結した
結束具。
【請求項２】
上記連設部を紐状に形成すると共に、紐状の連設部により一組の狭持部が互に略平行となるように連結した
請求項１記載の結束具。
【請求項３】
上記連設部の中間には商品情報を表示する表示部が一体形成された
請求項１または２記載の結束具。
【請求項４】
上記連設部の中間には商品タグを取付ける係止部が一体形成された
請求項１〜３の何れか１に記載の結束具。
【請求項５】
上記狭持部は一対の狭持片によりその内奥に商品差込み用の凹部が形成され、先端部には一対の狭持片の各先端を外方に屈曲させた商品の導入部が形成され、上記内奥の凹部と先端の導入部との間の各狭持片には商品を狭持する複数の係止歯が形成され、
少なくとも最内奥側に位置する係止歯は上記凹部側に指向するように形成された請求項１〜４の何れか１に記載の結束具。
【請求項６】
上記一対の狭持片に形成された最内奥側以外の係止歯は、その歯先部がそれぞれオフセットするように形成された
請求項５記載の結束具。
【考案の詳細な説明】
【技術分野】
【０００１】
この考案は、サンダルやスリッパ等の履物類または厚手の手袋などの一組の商品を結束するような結束具に関する。
【背景技術】
【０００２】
従来、上述例の結束具としては図５に示すように、両端部に係止片５１，５２を備えた合成樹脂製の係止部材５３がある。  
この係止部材５３は打込み用のガン（図示せず）を用いて一組の商品たとえば一足のスリッパ５４の各甲皮部５５，５５を左右連結するものであるが、図５に示す係止部材５３を用いて一組の商品を結束した場合には、商品に穴があく問題点があった。
【０００３】
一方、特許文献１には、一足のスリッパを揃えた状態で左右の各スリッパの甲皮部を左右一体に狭持する狭持部と、この狭持部に連設した支持棒と、支持棒の上部に形成されたラベル貼付け用の表示板およびフックとを備えた表示板付き履物結束具が開示されている。しかしながら、この従来構造においてはスリッパ等の一組の商品を片方ずつ別々に狭持し、かつ一組にセット化することができない問題点があった。
【０００４】
また、特許文献２には、一足のサンダルを揃えた状態で左右の各サンダルにおける鼻緒の前緒を係合する凹部が形成された左右一対の支持部を備え、この支持部には支持棒を介して表示板およびフックを一体形成した履物用ハンガが開示されている。しかしながら、この従来構造においてはサンダル等の一組の商品を片方ずつ別々に狭持し、かつ一組にセット化することができないうえ、鼻緒（特にその前緒）を有さない構造の商品には適用できないという問題点があった。
【０００５】
要するに、特許文献１、２の何れの従来構造においても、商品を一旦狭持部または支持部から取外さない限り、購入者は一組の商品を片方ずつ別々に出来映えチェック（商品チェック）することができないので、購入者にとって不利となる問題点があった。  
【特許文献１】実公昭５７−９８０９号公報
【特許文献２】実公平４−４５５７２号公報
【考案の開示】
【考案が解決しようとする課題】
【０００６】
そこで、この考案は、対向する一対の狭持片により商品を差込みおよび取外し可能に狭持する狭持部を形成し、該狭持部を一組設けると共に、一組の狭持部を連設部で互に連結することにより、商品に穴をあけることなく、一組の商品を片方ずつ別々に狭持し、かつ一組にセット化することができる結束具の提供を目的とする。
【課題を解決するための手段】
【０００７】
この考案による結束具は、一組の商品を結束する結束具であって、対向する一対の狭持片により商品を差込みおよび取外し可能に狭持する狭持部が形成され、上記狭持部を一組設けると共に、一組の狭持部を連設部で互に連結したものである。
【０００８】
上記構成によれば、一組の狭持部を設けたので、一組の商品を片方ずつ別々に狭持することができ、しかも上記狭持部は一対の狭持片により商品を着脱可能に狭持するので、商品には穴があかない。さらに、一組の狭持部を連設部で連結したので、商品を一組にセット化することができる。
【０００９】
この考案の一実施態様においては、上記連設部を紐状に形成すると共に、紐状の連設部により一組の狭持部が互に略平行となるように連結したものである。  
上記構成によれば、一組の商品を揃えて狭持することができ、しかも、連設部を紐状と成したので、一組の商品が狭持部に狭持された状態のままで、商品の片方ずつの出来映えを、あらゆる方向からチェックすることができる。
【００１０】
この考案の一実施態様においては、上記連設部の中間には商品情報を表示する表示部が一体形成されたものである。  
上述の商品情報は、商品サイズまたは材質等の情報に設定してもよい。  
上記構成によれば、表示部を用いて商品情報を表示することができる。
【００１１】
この考案の一実施態様においては、上記連設部の中間には商品タグを取付ける係止部が一体形成されたものである。  
上述の商品タグには、商品の価格、機能またはバーコード等の各種の商品情報を印刷してもよく、上述の係止部は係止孔に設定してもよい。
【００１２】
上記構成によれば、係止部を用いて商品タグを取付けることができる。  
この考案の一実施態様においては、上記狭持部は一対の狭持片によりその内奥に商品差込み用の凹部が形成され、先端部には一対の狭持片の各先端を外方に屈曲させた商品の導入部が形成され、上記内奥の凹部と先端の導入部との間の各狭持片には商品を狭持する複数の係止歯が形成され、少なくとも最内奥側に位置する係止歯は上記凹部側に指向するように形成されたものである。
【００１３】
上記構成によれば、商品の被狭持部となる一部分は、狭持部の導入部から係止歯が形成された部位を介して凹部まで差込まれるが、上述の導入部は外方に屈曲しているので、商品を差込みやすく、しかも、差込まれた商品は複数の係止歯により狭持されると共に、最内奥側の係止歯により楔状に係止されるので、商品を抜けにくい状態に確実に狭持することができる。
【００１４】
この考案の一実施態様においては、上記一対の狭持片に形成された最内奥側以外の係止歯は、その歯先部がそれぞれオフセットするように形成されたものである。  
上記構成によれば、歯先部のオフセット構造により、係止歯による商品の損傷防止と、狭持性確保との両立を図ることができる。
【考案の効果】
【００１５】
この考案によれば、対向する一対の狭持片により商品を差込みおよび取外し可能に狭持する狭持部を形成し、該狭持部を一組設けると共に、一組の狭持部を連設部で互に連結したので、商品に穴をあけることなく、一組の商品を片方ずつ別々に狭持し、かつ一組にセット化することができる効果がある。
【考案を実施するための最良の形態】
【００１６】
商品に穴をあけることなく、一組の商品を片方ずつ別々に狭持し、かつ一組にセット化するという目的を、対向する一対の狭持片により商品を差込みおよび取外し可能に狭持する狭持部を形成し、上記狭持部を一組設けると共に、一組の狭持部を連設部で互に連結するという構成にて実現した。
【実施例】
【００１７】
この考案の一実施例を以下図面に基づいて詳述する。  
図面は一組の商品を結束する結束具を示し、図１はその拡大平面図、図２は側面図、図３は要部の拡大図、図４は結束具による結束の一例を示す説明図であって、図１において、この結束具１０は、一組の狭持部１１，１１と、これら一組の狭持部１１，１１を互に連結する紐状の連設部１２と、この連設部１２の中間一側に設けられた円板状の表示部１３と、上述の連設部１２の中間他側に形成された舌片１４に開口形成された係止部としての係止孔１５とを備え、上述の狭持部１１，１１、連設部１２、表示部１３および舌片１４を合成樹脂により一体形成したものである。
【００１８】
上述の紐状の連設部１２は、捩じ曲げ、および可撓変形が可能となる程度に細長い紐状に形成されると共に、その全体形状は略Ｕ字状に形成されていて、この連設部１２の開放側の両端部には上述の一組の狭持部１１，１１が互に略平行となるように一体連結されている。
【００１９】
上述の連設部１２の中間一側に一体形成された表示部１３は、図２に示すように連設部１２に対して薄肉に形成されると共に、この表示部１３には図４に示すように、一組の商品の一例としての一足のスリッパ１６のサイズ（商品情報）を示すラベル１７が貼着される。
【００２０】
上述の連設部１２の中間他側に一体形成された舌片１４は、図２に示すように連設部１２に対して若干厚肉に形成されると共に、この舌片１４に開口形成された係止孔１５には、図４に示すように係止部材１８を介して商品タグ１９が取付けられる。
【００２１】
この商品タグ１９には、商品の価格や機能またはバーコード等の各種の商品情報を印刷してもよい。  
上述の一組の狭持部１１，１１は、図２に示すように商品を充分に狭持し得る狭持力を確保すべく連設部１２に対して厚肉に形成されており、その具体構造は図３に示す通りである。
【００２２】
すなわち、この狭持部１１は図３に示すように、一対の狭持片２０，２０の連設部１２側を接合し、反連設部側を開放した二股形状に構成されると共に、合成樹脂固有のバネ力により狭みバネ構造に形成されており、一対の狭持片２０，２０によりその内奥側には商品差込み用の凹部２１が形成されると共に、開放された先端部側には一対の狭持片２０，２０の各先端２０ａ，２０ａをそれぞれ外方に円弧状に屈曲させて商品の導入部２２を形成している。
【００２３】
また、上述の内奥側の凹部２１と先端の導入部２２との間において一側の狭持片２０と他側の狭持片２０との両者には、それぞれ対向する方向に延びる複数の係止歯２３，２３…、２４および係止歯２５，２５…、２６が一体形成されている。
【００２４】
そして、少なくとも最内奥側に位置する係止歯２４，２６は、その歯先部が内奥の凹部２１側に指向して、商品を狭持する際に楔効果が得られるように形成している。
【００２５】
さらに、上述の一対の狭持片２０，２０に形成された最内奥側の係止歯２４，２６以外の係止歯２３，２５は、図３に示すようにその歯先部がそれぞれ商品の着脱方向（図３の矢印ａ，ｂ方向参照）にオフセットするように形成されると共に、全ての係止歯２３〜２６の歯先部は、商品を損傷させないように、アール形状に構成されている。
【００２６】
このように構成した結束具１０を用いて一足のスリッパ１６（一組の商品）を結束するには、スリッパ１６の片方の甲皮部１６ａを、図３の矢印ａ方向に狭持部１１に差込む（狭持部１１を差込み方向に相対移動させる）。
【００２７】
この場合、甲皮部１６ａの肉厚により該狭持部１１の導入部２２から係止歯２３〜２６が形成された部位を介して凹部２１まで甲皮部１６ａを強制的に差込むと、一対の狭持片２０，２０は一旦開放された後に、甲皮部１６ａの端部が凹部２１の内奥に差込まれた時点で、一旦開放した狭持片２０，２０が樹脂固有のバネ力により挟み方向に締まり、一対の狭持片２０，２０に対向すべく一体形成された各係止歯２３〜２６にて甲皮部１６ａを狭持する。
【００２８】
特に、少なくとも最内奥側に位置する係止歯２４，２６は楔効果を発揮すべく、その歯先が凹部２１側に指向するので、商品としてのスリッパ１６が狭持部１１から抜けにくくなる。
【００２９】
スリッパ１６の他の片方の甲皮部１６ａも同様に狭持部１１に差込むと、一足のスリッパ１６を結束具１０により一組にセット化することができる（図４参照）。
【００３０】
このようにして、一組にセット化された一足のスリッパ１６は平置きにして展示販売してもよく、或は、連設部１２を図示しないフックに引っ掛けて、吊下げ状にして展示販売してもよい。
【００３１】
上述の連設部１２は紐状であるから、スリッパ１６を狭持部１１から何等取外すことなく、購入者はスリッパ１６の片方を手に持って、その姿勢をあらゆる方向に変更させながら、その出来映えをチェックすることができる。
【００３２】
ところで、スリッパ１６を狭持片１１から取外す場合には、一対の狭持片２０，２０の狭持力に抗して、スリッパ１６を図３の矢印ｂ方向に強制的に引き抜くと（狭持部１１を取外し方向に相対移動させると）、スリッパ１６を結束具１０から取外すことができる。
【００３３】
このように、上記実施例の結束具は、一組の商品（一足のスリッパ１６参照）を結束する結束具１０であって、対向する一対の狭持片２０，２０により商品を差込みおよび取外し可能に狭持する狭持部１１が形成され、上記狭持部１１を一組設けると共に、一組の狭持部１１，１１を連設部１２で互に連結したものである。
【００３４】
この構成によれば、一組の狭持部１１，１１を設けたので、一組の商品（一足のスリッパ１６）を片方ずつ別々に狭持することができ、しかも上記狭持部１１は一対の狭持片２０，２０により商品を着脱可能に狭持するので、商品には穴があかない。さらに、一組の狭持部１１，１１を連設部１２で連結したので、商品を一組にセットすることができる。
【００３５】
しかも、上記連設部１２を紐状に形成すると共に、紐状の連設部１２により一組の狭持部１１，１１が互に略平行となるように連結したものである。  
この構成によれば、一組の商品を揃えて狭持することができ、しかも、連設部１２を紐状と成したので、一組の商品が狭持部１１に狭持された状態のままで、商品の片方ずつの出来映えをあらゆる方向からチェックすることができる。
【００３６】
また、上記連設部１２の中間には商品情報を表示する表示部１３が一体形成されたものである。
【００３７】
この構成によれば、表示部１３を用いて商品情報を表示することができる。  
さらに、上記連設部１２の中間には商品タグ１９を取付ける係止部（係止孔１５参照）が一体形成されたものである。
【００３８】
この構成によれば、係止部（係止孔１５）を用いて商品タグ１９を取付けることができる。  
加えて、上記狭持部１１は一対の狭持片２０，２０によりその内奥に商品差込み用の凹部２１が形成され、先端部には一対の狭持片２０，２０の各先端を外方に屈曲させた商品の導入部２２が形成され、上記内奥の凹部２１と先端の導入部２２との間の各狭持片２０，２０には商品を狭持する複数の係止歯２３〜２６が形成され、少なくとも最内奥側に位置する係止歯２４，２６は上記凹部２１側に指向するように形成されたものである。
【００３９】
この構成によれば、商品の被狭持部となる一部分（甲皮部１６ａ参照）は、狭持部１１の導入部２２から係止歯２３〜２６が形成された部位を介して凹部２１まで差込まれるが、上述の導入部２２は外方に屈曲しているので、商品を差込みやすく、しかも、差込まれた商品は複数の係止歯２３〜２６により狭持されると共に、最内奥側の係止歯２４，２６により楔状に係止されるので、商品を抜けにくい状態に確実に狭持することができる。
【００４０】
また、上記一対の狭持片２０，２０に形成された最内奥側以外の係止歯２３，２５は、その歯先部がそれぞれオフセットするように形成されたものである。
【００４１】
この構成によれば、歯先部のオフセット構造により、係止歯２３，２５による商品の損傷防止と、狭持性確保との両立を図ることができる。
【００４２】
この考案の構成と、上述の実施例との対応において、  
この考案の一組の商品は、実施例の一足のスリッパ１６に対応し、  
以下同様に、  
商品情報は、商品サイズに対応し、  
商品タグを取付ける係止部は、係止孔１５に対応するも、  
この考案は、上述の実施例の構成のみに限定されるものではない。  
例えば、一組の商品としては一足のスリッパ１６に代えて、一足のサンダル、運動靴などの履物であってもよく、左右一対の手袋などの他の商品であってもよい。
【図面の簡単な説明】
【００４３】
【図１】本考案の結束具を示す拡大平面図
【図２】結束具の側面図
【図３】狭持部の拡大図
【図４】結束具による結束の一例を示す説明図
【図５】従来の結束具による結束の一例を示す説明図
【符号の説明】
【００４４】
１１…狭持部
１２…連設部
１３…表示部
１５…係止孔（係止部）
１６…スリッパ（商品）
１９…商品タグ
２０…狭持片
２１…凹部
２２…導入部
２３〜２６…係止歯
【図１】
0003113673.tif 000003
【図２】
0003113673.tif 000004
【図３】
0003113673.tif 000005
【図４】
0003113673.tif 000006
【図５】
0003113673.tif 000007